(57)【要約】      （修正有）【課題】生まれたばかりの子犬や子猫等の小動物への母乳に代わるミルクを自力で吸飲可能にし、且つ授乳を安全確実に行える哺乳器を提供する。【解決手段】哺乳器は、先端に細孔付き細い筒先４を有する目盛３付き外筒２と、先端に細孔８付きのガスケット７を設けた外筒２に挿入する内筒形プランジャ５とでシリンジ１を構成し、外筒上部の段付き細径筒部９を哺乳用乳房体１０の細口乳首１１の内径１１１に装着し、当該シリンジを哺乳用のボトル１５内に収容すると共に、乳房体１０を支持する穴付き蓋１７を哺乳用のボトルの開口部１６に螺合し、且つボトル内においてシリンジを中心位置に保持するための支持部材２０を設ける。【選択図】図１
0003219489.tif 000002
【実用新案登録請求の範囲】
【請求項１】
下端に細い筒先（４）を有する目盛（３）付きの外筒（２）と、先端に細孔（８）付きのガスケット（７）を設けた内筒形プランジャ（５）を当該外筒（２）に挿入してシリンジ（１）を構成し、プランジャ上部の段付き細径筒部（９）を哺乳用の乳房体（１０）の細口乳首（１１）の内径（１１１）に装着して、当該シリンジ（１）を哺乳用のボトル（１５）内に収容し、哺乳用乳房体（１０）を支持する穴（１７１）付き蓋体（１７）で哺乳用ボトルの開口（１６）を閉蓋し、シリンジ（１）をボトル（１５）の中心位置に保持するための支持部材（２０）をボトル（１５）内に設けたことを特徴とする哺乳器。
【請求項２】
下端に細い筒先（４）を有する目盛（３）付きの外筒（２）と、先端に細孔（８）付きのガスケット（７）を設けた内筒形プランジャ（５）を当該外筒（２）に挿入してシリンジ（１）を構成し、プランジャ上部の段付き細径筒部（４）を哺乳用の乳房体（１０）の細口乳首（１１）の内径（１１１）に装着して、当該シリンジ（１）を哺乳用のボトル（１５）内に収容し、哺乳用乳房体（１０）を支持する穴（１７１）付き蓋体（１７）で哺乳用ボトルの開口（１６）を閉蓋し、シリンジ（１）をボトル（１５）の中心位置に保持するための支持部材（２０）としてシリンジ下端部を支受する受け部（２０２）付きの吸盤（２０１）をボトル（１５）の内底（１５１）に吸着したことを特徴とする哺乳器。
【請求項３】
下端に細い筒先（４）を有する目盛（３）付きの外筒（２）と、先端に細孔（８）付きのガスケット（７）を設けた内筒形プランジャ（５）を当該外筒（２）に挿入してシリンジ（１）を構成し、プランジャ上部の段付き細径筒部（４）を哺乳用の乳房体（１０）の細口乳首（１１）の内径（１１１）に装着して、当該シリンジ（１）を哺乳用のボトル（１５）内に収容し、哺乳用乳房体（１０）を支持する穴（１７１）付き蓋体（１７）で哺乳用ボトルの開口（１６）を閉蓋し、シリンジ（１）をボトル（１５）の中心位置に保持するための支持部材（２０）としてシリンジ下端部を支受する受け部（２０２）付きの吸盤（２０１）をボトル（１５）の内底（１５１）に吸着し、その吸盤（２０１）に筒形支持部材（２１）の基部を取付けて起立したことを特徴とする哺乳器。
【請求項４】
下端に細い筒先（４）を有する目盛（３）付きの外筒（２）と、先端に細孔（８）付きのガスケット（７）を設けた内筒形プランジャ（５）を当該外筒（２）に挿入してシリンジ（１）を構成し、プランジャ上部の段付き細径筒部（９）を哺乳用の乳房体（１０）の細口乳首（１１）の内径（１１１）に装着すると共にプランジャ（５）の上部を止め具（２２）で固定し、当該シリンジ（１）を哺乳用のボトル（１５）内に収容し、哺乳用乳房体（１０）を支持する穴（１７１）付き蓋体（１７）で哺乳用ボトルの開口（１６）を閉蓋したことを特徴とする哺乳器。
【請求項５】
下端に細い筒先（４）を有する目盛（３）付きの外筒（２）と、先端に細孔（８）付きのガスケット（７）を設けた内筒形プランジャ（５）を当該外筒（２）に挿入してシリンジ（１）を構成し、プランジャ上部の段付き細径筒部（４）を哺乳用の乳房体（１０）の細口乳首（１１）の内径（１１１）に装着したことを特徴とする哺乳器。
【考案の詳細な説明】
【技術分野】
【０００１】
本考案は、主として生まれたばかりの小動物に適する哺乳器に関するもので、出生直後から２〜３日しか経過していない超小型の子犬や子猫等に1日少量ずつ複数回にわたって自力で吸飲できるようにしたことを目的とする。
また、母犬又は母猫の母乳を採取して出生直後の子犬や子猫に与えてその母犬や母猫等の免疫を与えるようにし、且つ、本考案の哺乳器を人間の乳児の授乳にも使用できるようにしたものである。
【背景技術】
【０００２】
一般に、たとえば母犬から一度に複数匹生まれた直後から数日の間は、飲む力の弱い超小型の子犬は、母乳を自力で吸飲できないことがある。また、母犬が授乳を放棄したりする場合は、そのまま放置しておくと子犬が死に至ることもある。
【０００３】
そこで、母犬から生まれた直後から２〜３日しか経過していない飲む力の弱い超小型の子犬には、人手を介して１回に１ｍｌ程度のミルクを１日７〜８回にわたって与える必要がある。この場合、従来の哺乳器での授乳ではボトルの押し具合によっては必要以上の量を与えたり、細くて比較的長い乳首を口に含んで喉奥まで届く注出によって肺に入り込ませて誤嚥による肺炎を起こしたりするおそれがあった。
【０００４】
そのため、ブリーダーやペットショップにおいては、子犬や子猫等の出生間もない小動物にミルク等の栄養水分を与えて２ヶ月位は手元で育ててから販売するのが通常である。なお、ここにいうブリーダーとは、犬や猫を交配させて繁殖させ、出生した子犬や子猫を販売する者を指す。また、ペットショップとは、人の心を和ましたり、楽しませたりしてくれる理由で人が飼う動物を販売する店を指す。
【０００５】
従来、犬猫等の幼齢小動物にミルク等を授乳する場合、図１１に示すように市販の哺乳器は哺乳瓶１′の開口部４′に外径雄ねじ１１′に内径雌ねじ２１′を介して被せた蓋２′にあけた孔３′に対し、先端に乳頭孔７′を有する乳首６′付きの乳房５′の基部を装着したものを使用している。
【先行技術文献】
【特許文献】
【０００６】
【特許文献１】特開平０８−１３１５２０号公報
【特許文献２】実用新案登録第３０２１９４４号公報
【非特許文献１】http://www.morinyu-pet.com/product/「森乳  ワンラック哺乳器  細口乳首  [子犬用 子猫用哺乳器 （スペア付き）120ｍl]」
【考案の概要】
【考案が解決しようとする課題】
【０００７】
特許文献１は、哺乳瓶との係合部に細長い乳頭部を成形した乳児用の乳首に関するものであるが、これを生まれたばかりの超小型の子犬や子猫等の小動物に哺乳瓶の乳首を下に向けて用いると乳頭孔からミルクを与えすぎてその小動物の肺に入り込んで死に至る等の事故に繋がる恐れがある。
反対に哺乳瓶を横向きにすると中身が乳首まで届かず、その小動物は自力では飲む力が弱いので、授乳者は哺乳瓶を押圧して飲ませる必要があり、その際にも気を付けないとミルクを誤嚥して肺に入り込み肺炎を起こして死に至ることが往々にして発生する恐れがある。
【０００８】
特許文献２は、びん体と乳首とを分離して形成し、その両者が適当に長いホース手段により連続した哺乳びんに関するものであり、これによって、保護者が重いびん体を保持することなく授乳できるとしている。しかしこれを生れたばかりで飲む力の弱い子犬や子猫等の小動物に適用するには、授乳者が哺乳びんを手に持たなければ授乳することができない。また、構造上ホースを長く構成しなければならないので、飲む力の弱い小動物が自力で吸飲してミルクを摂取することができない。
【０００９】
特許文献３は、図１１に示すような子犬用 子猫用の哺乳器であるが、出生直後ないし数日間程度しか経っていない子犬や子猫に使用するには、手に持ったボトルの押し具合を余程気を付けないと授乳し過ぎて肺に入り込み死に至る事故が発生する恐れがある。
【００１０】
また、授乳の際にホースが途中から折れ曲がるとそのホースが潰れてミルクの通りが遮断され授乳に支障を来す問題が生じていた。
【課題を解決するための手段】
【００１１】
本考案は上記従来の課題を解決するために提供するものである。
本考案の第１は、主として生まれて間もない小動物用の哺乳器において、下端に細い筒先を有する筒を有する目盛付きの外筒と、先端に細孔付きのガスケットを設けた内筒形プランジャを当該外筒に挿入してシリンジを構成し、プランジャ上部の段付き細径筒部を哺乳用の乳房体の細口乳首の内径に装着して、当該シリンジを哺乳用のボトル内に収容し、哺乳用の乳房体を支持する穴付き蓋体で哺乳用ボトルの開口を閉蓋し、シリンジをボトルの中心位置に保持するために支持部材をボトル内に設けたものである。
【００１２】
本考案の第２は、主として出生間もない小動物用の哺乳器において、下端に細い筒先を有する目盛付きの外筒と、先端に細孔付きのガスケットを設けた内筒形プランジャを当該外筒に挿入してシリンジを構成し、プランジャ上部の段付き細筒径部を哺乳用の乳房体の細口乳首の内径に装着して、当該シリンジを哺乳用のボトル内に収容し、哺乳用の乳房体を支持する穴付き蓋体で哺乳用ボトルの開口を閉蓋し、シリンジをボトルの中心位置に保持するための支持部材としてシリンジの下部を支受する受け部付きの吸盤をボトルの内底に吸着したものである。
【００１３】
本考案の第３は、主として出生間もない小動物用の哺乳器において、下端に細い筒先を有する目盛付きの外筒と、先端に細孔付きのガスケットを設けた内筒形プランジャを当該外筒に挿入してシリンジを構成し、プランジャ上部の段付き細径筒部を哺乳用の乳房体の細口乳首の内径に装着して、当該シリンジを哺乳用のボトル内に収容し、哺乳用乳房体を支持する穴付き蓋体で哺乳用ボトルの開口を閉蓋し、シリンジをボトルの中心位置に保持するための支持部材としてシリンジ下端部を支受する受け部付きの吸盤をボトルの内底に吸着し、その吸盤に筒形支持部材の基部を取付けて起立したものである。
【００１４】
本考案の第４は、主として出生間もない小動物用の哺乳瓶において、下端に細い筒先を有する筒を有する目盛付きの外筒と、先端に細孔付きのガスケットを設けた内筒形プランジャを当該外筒に挿入してシリンジを構成し、プランジャ上部の段付き細径筒部を哺乳用の乳房体の細口乳首の内径に装着すると共にプランジャの上部を止め具で固定し、当該シリンジを哺乳用のボトル内に収容し、哺乳用の乳房体を支持する穴付き蓋体で哺乳用ボトルの開口を閉蓋したものである。
【００１５】
本考案の第５は、主として出生間もない小動物用の哺乳瓶において、下端に細い筒先を有する目盛付きの外筒と、先端に細孔付きのガスケットを設けた内筒形プランジャを当該外筒に挿入してシリンジを構成し、プランジャ上部の段付き細径筒部を哺乳用の乳房体の細口乳首の内径に装着したものである。
【考案の効果】
【００１６】
本考案は上記の構成であるから、次のような効果がある。
（１）ミルクを充填した外筒の目盛を目印にして設定した量だけ内筒形プランジャで押し下げてミルクを内筒形プランジャ内の上部まで押し上げられているから、常に設定したごく少量だけを生まれて間もない子犬又は子猫等の小動物に授乳することができる。これによって、飲む力の弱い小動物であってもミルクを自力で吸飲して摂取することができる。
（２）ミルクは、内筒形プランジャによる押し上げで通水路内に貯留した状態にあるから、生まれて間もない小動物は、乳房体の乳首を斜め上から垂直に至る間の位置にした状態であっても確実に吸飲することができる。
（３）また、ミルクはガスケット部分から段付き細径筒部に至るまでの通水路内に貯留した状態にあるから、出生間もない子犬や子猫は人手で必要以上の授乳操作をしなくても安全確実にミルクを吸飲することができる。
（４）ミルクの入ったシリンジを哺乳用ボトルに収容したときに、そのシリンジ下部を受け部付きの吸盤や筒形の支持部材で保持するから、シリンジ内のミルクをこぼすことなく安全確実に吸飲することができる。
（５）授乳者が哺乳用ボトルの胴部を押すことは一切しないので、出生間もない子犬や子猫にとって喉奥までは届かないから、細口乳房先端で喉を詰まらせるおそれがなく安全である。
（６）従来小動物の吸飲時に往々に発生していた誤嚥による肺炎を防止することができる。
（７）細口乳首の内径に装着しているプランジャの上部を当該乳首の外周に止め具で固定すると、ボトル内に収容してシリンジを支持部材なしでも子犬が吸飲することが可能になる。
（８）外筒下端の細い筒先を母犬や母猫の乳首にあてがい、当該外筒に挿入してある内底近くまで内筒形プランジャ引き抜き方向に引き戻すと吸引作用で母乳が外筒内に貯まるから、これを生まれたばかりの子犬や子猫に授乳することによって、母犬や母猫の免疫力を与えることもできる。
（９）シリンジを容量目の多いものに設定すれば、生後２〜３ヶ月の幼犬に用いることができる。
（１０）さらに、哺乳器の乳首を人間の乳児用のものを用い、且つシリンジを容量の大きいものに設定することにより、母親の母乳代わりに人間の乳児用哺乳器として乳首を斜め上方に向けた状態で乳児が自力で吸飲することができる。
【図面の簡単な説明】
【００１７】
【図１】本考案に係る哺乳器の一部縦断正面図である。
【図２】図１の内筒形プランジャを外筒から分離した状態の縦断正面図である。
【図３】本考案に係る哺乳器の外筒と内筒形プランジャの一部をボトルに収容して出生直後の子犬に授乳している状態の斜視図である。
【図４】本考案に係る哺乳器の一部縦断正面図である。
【図５】図４の内筒形プランジャを外筒から分離した状態の縦断正面図である。
【図６】本考案に係る哺乳器の分解斜図である。
【図７】本考案に係る哺乳器をボトルなしで出生直後の子犬に授乳している状態の斜視図である。
【図８】内筒形プランジャ先端のガスケットの細孔を大きくした状態の縦断面図である。
【図９】図１におけるシリンジ支持部材の他の例を示す縦断正面図である。
【図１０】図１おけるプランジャ上部を細口筒部に止め具で固定して、シリンジ支持部材を省略した状態の縦断正面図である。
【図１１】従来公知の哺乳瓶の一部縦断正面図である。
【考案を実施するための形態】
【００１８】
本考案は上記の構成において実施する形態は次のとおりである。生まれたばかりの子犬や子猫等の小動物用として、下端に細筒を有する目盛付き外筒と、先端に孔付きのガスケットを設けた外筒に挿入する内筒形プランジャとでシリンジを構成し、外筒上部の段付き細径筒部を哺乳用乳房体の内径に装着して小動物用哺乳器とし、そして、当該シリンジを哺乳用ボトル内に収納して哺乳型の哺乳器とし、さらに、ボトル内においてシリンジの中心位置を保持するための支持部材を設けて小動物用哺乳器としたものである。
【実施例１】
【００１９】
図１及び図２は、本考案に係る出生間もない子犬に用いる哺乳瓶の実施例を示すもので、１は透明のプラスチック素材又はガラス素材から成る略注射器型のシリンジであり、内径が１５ｍｍ程度の外筒（パレル）２と、外径が５．５ｍｍ程度のプランジャ（押し子）５とで構成してある。その外筒２は目盛３を表示し、下端に直径が２ｍｍ程度の細孔４１を有する細い筒先４を有している。また、プランジャ５は外筒内に挿入する細い通水路６を有する内筒形を成し、その下端に直径１〜２ｍｍ程度の細孔８付きのガスケット７（押し子の太径頭部）を固着し、上端部に段付きの細径筒部９を有している。その細径筒部９の孔は通液路６の径より細い径とし具体的には１．０ｍｍ前後を可とする。
【００２０】
１０はシリコン製の哺乳用乳房体であり、先端に人間の乳児用の乳首より細くて多少し長め（約２０ｍｍ）の細口乳首１１を一体に成形してあり、基部に円形の取付け座１２を一体成形し、且つ乳房体１０の基部と取付け座１２の境に横向きの細い凹溝１３を形成してある。上記細口乳首１１の内径１１１には、内筒形プランジャ５の上部の段付き細径筒部９の上部を当該細口乳首における材質の伸縮性を利用して簡単には外れないように装着してある。１４は外筒下端の細い筒先４に被せる通水路６を遮断するキャップである。
【００２１】
１５は透明又は半透明の哺乳用の広口開口１６の哺乳用のボトルであり、シリンジ１をボトル内に収納する。当該ボトルの材質は、ガラス素材とプラスチック素材があるが、一般に軽量で携行に便利なプラスチック素材を可とする。１７は中央に哺乳用の乳房体１０の基部を通して横溝１３に縁辺を掛止する穴１７１を設けて取付け材１２を掛止する蓋体であり、ボトル開口１６の外径雄ねじ１９に螺合する内径雌ねじ１９を設けてある。２０は、ボトル１５内に収容したシリンジ１を当該瓶体１の中央位置に保持させるために用いる支持部材であり、シリンジ１の下端部を支持する受け部２０２を有する吸盤２０１をボトル１５の内底１５１に吸着してある。
【００２２】
図３は図１のボトル１５に収容した哺乳器を用いて生まれたばかりの子犬に授乳している状態図である。前記の吸盤２０１は、吸盤面をボトル内底１５１に圧着して吸盤自体の吸着力で固定できるが、ボトル１５内にミルク等の栄養水分を入れたことにより吸着力が弱まるおそれがある場合は、ボトル内底１５１に吸着面をいわゆる瞬間接着剤のような耐水性のある強力接着剤を塗布して固着することもある。
【実施例２】
【００２３】
図４〜図６は、本考案に係る出生間もない超小型の子犬に用いる哺乳器の実施例を示すもので、図１の状態から哺乳用のボトル１５のほか蓋体１７を除去してある。
図７は、図４のボトル及び蓋体を除去した哺乳器を用いて生まれたばかりの子犬に授乳している状態図である。
【００２４】
図８は、ガスケット７の細孔を内筒形プランジャ５の通水路６と同径又は同径に近い径にしたものを示す。
【００２５】
図９において、２１は図１のシリンジ１の下部を支持する筒形の支持部材であり、外筒２を上方に移動したときにその下部を中心位置に保持するための長い円形の筒体を成し、その下端基部を吸盤２０１の受け部２０２の外径に嵌合してある。当該支持部材２１は図示のような全体が円筒体のほか、複数の孔付きのもの、又は複数のスリット入りのもの、網目体のもの等がある。
【００２６】
図１０は哺乳用乳房体１０の先端の細口乳首１１の内径１１１に装着したプランジャ先端の細径筒部９を外れないようにするためにその乳首１１の外周に取付けた伸縮又は拡縮可能なリング状等の止め具２２である。この止め具２２の取付けによってシリンジ１をボトル１５内に収容したときに支持部材２０を省略することができる。
【００２７】
[具体的な使用例１]
図２において、外筒２から内筒形プランジャ５を抜き取っておき、外筒下端の細い筒先４に通液路を遮断するキャップ１４を被せて細孔４１を塞いでおく。そして、空の外筒２にミルク（「図示省略」以下同じ。）を細い注ぎ口を有する注水器又は注射器（図示省略）等を用いて適量になるまで注入しておく。
【００２８】
そして、内筒形プランジャ５のガスケット７を外筒２に開口２１から挿入して設定した少容量（例えば１ｍｌ）の目盛３まで押し下げる。これによって、ミルクは細孔８を通じて内筒形プランジャ５の通水路６に流入して貯留する。
この状態で、シリンジ１を哺乳用ボトル１５内に差し入れて蓋体２をボトル開口１６に被せて閉蓋すると共に、外筒１の下端部の細い筒先４を塞ぐキャップ１４を予めボトル内底に吸着してある吸盤２０１の受け部２０２に嵌合して位置決めをする（図１）。
【００２９】
図１の状態で、授乳者が哺乳用ボトル１５を片方の手で持ち、もう一方の手で生まれたばかりの子犬を持ち、細口乳首１１を子犬Ａの口に含ませて内筒形プランジャ５の通水路６に貯留したミルクを吸飲させる（図３）。この場合、授乳者は細口乳首１１を水平より斜め上方に向けて子犬Ａに吸飲させるものとする。子犬Ａは自力で内筒形プランジャ５の通水路６に貯留しているミルクを吸飲することができる。
【００３０】
図２において、内筒形プランジャ５のガスケット７を外筒２の上部開口２１から中に挿入して所定の目盛３まで押し下げていくとその目盛分だけミルクがガスケット７の細孔８から内筒形プランジャ５の通水路６に流入し、上部の段付き細径筒部９まで上昇して貯留する。
【００３１】
この状態で、授乳者が哺乳用ボトル１５を片方の手の平で持ち、もう一方の片手で生まれたばかりの子犬を持ち、斜め上方に向けた細口乳首１１を子犬Ａの口に含ませて内筒形プランジャ５の通液路６の上部まで貯留したミルクを吸飲させる（図３）。
【００３２】
[具体的な使用例２]
図７においては、哺乳用ボトルがない哺乳器を用いて子犬に授乳するものである。プランジャ５のガスケット７を外筒２の上部開口１６から中に挿入して設定の目盛３まで押し下げていくとその目盛分だけミルクがガスケット７の細孔８から内筒形プランジャ５の通水路６に注入し、上部の段付き細径筒部９まで上昇して貯留する。
【００３３】
この状態で、授乳者が哺乳用ボトルのない哺乳器を片方の手の平で持ち、もう一方の片手で生まれたばかりの子犬を持ち、斜め上方に向けた細口乳首１１を子犬Ａの口に含ませて筒形プランジャ５の通水路６の上部まで貯留したミルクを吸飲させる（図７）。
【００３４】
図３及び図７において、生まれたばかりの子犬にミルクを与えるときは、１ｍｌの量としているが、生後２〜３ヶ月経過して多量のミルクを与える場合は、図８のようにガスケット７の細孔をプランジャ５の通水路６の内径と同じかほぼ同径にして、設定量だけを外筒２にミルクを注入して授乳することもできる。
【００３５】
さらに、図４において、キャップ１４を外し、プランジャ５を押し下げてガスケット７を外筒２の内底に接した状態で母犬又は母猫の乳頭に筒先４を押し当てた状態でプランジャ５を引き戻すことにより、その吸引力で母乳を採取する。そして、必要によりこれを繰り返してプランジャ５の通水路６に母乳を貯留し、あとはミルクの授乳と同じ要領で子犬に自力で吸飲させることによって、母犬や母猫等小動物の親の免疫を与えることが可能である。
【００３６】
なお、人間の乳児にミルクを与える場合は、乳首を乳児用に交換する場合もあるが、シリンジ１はそのまま使用することにより細口乳首１１を水平より斜め上向きして吸飲させることができて安全にミルクを与えることができる。
【産業上の利用可能性】
【００３７】
本考案は、子犬や子猫のほか、生後直後のウサギやシマリスやハムスター等の小動物に適用することができる。
なお、市販のシリンジ１には、容量の異なるタイプが１ｍｌから１０ｍｌの間、及び１０ｍｌ以上のものも複数存在するので、用途に応じて採択することができる。
本考案に係る哺乳器を人間の新生児や乳児に使用することもできる。その場合は、シリンジ１の外筒２の容量を大きいものを使用することを可とする。
乳房体１０を人間の母親の乳房に似せるものとし、且つシリンジ１の外筒２の容量を大きいものとすることが好ましい。そして、乳房体１０も小動物用のものより大きめにして母親の乳首１１に似せた形状にするものを用いることができる。これにより、本考案の用途の拡大が図れる。
【符号の説明】
【００３８】
１…外筒とプランジャとからなるシリンジ
２…外筒
２１…外筒上部の開口
３…目盛
４…外筒下端の細い筒先
５…内筒形プランジャ
６…通水路
７…ガスケット
８…ガスケットの細孔
９…段付き細径筒部
９１…細径筒部の細孔
１０…哺乳用の乳房体
１１…細口乳首
１１１…細口乳首の内径
１２…取付け座
１３…乳房体の基部凹溝
１４…通水路遮断キャップ
１５…哺乳用ボトル
１６…ボトルの開口
１７…蓋体
１８…雄ねじ
１９…雌ねじ
２０…支持部材
２０１…吸盤
２０２…吸盤の受け部
２１…筒形の支持部材
２２…止め具
【図１】
0003219489.tif 000003
【図２】
0003219489.tif 000004
【図３】
0003219489.tif 000005
【図４】
0003219489.tif 000006
【図５】
0003219489.tif 000007
【図６】
0003219489.tif 000008
【図７】
0003219489.tif 000009
【図８】
0003219489.tif 000010
【図９】
0003219489.tif 000011
【図１０】
0003219489.tif 000012
【図１１】
0003219489.tif 000013